(57)【要約】【課題】両鋏片の開閉操作を容易にするとともに収納性を向上し、且つ安全性を持たせる。【解決手段】基端側の柄部５，６と先端側の刃部７，８よりなる一対の鋏片２，３を軸４により互いに開閉可能に支持するとともに、両柄部５，６の間に両鋏片２，３を互いに開放する方向へ付勢する弾発部材２１を設けた鋏において、弾発部材２１を両鋏片２，３の開閉面内を回動するように柄部６の内側に回動自由に支持した。また、弾発部材２１を柄部６の基端側へ完全に回動させたとき、弾発部材２１を柄部６の基端側の形状に沿うような形状とした。さらに、両刃部２，３に切断機能をもたない複数の突起１９，２０を設け、両刃体１３，１４の間に指を挟んだ状態で鋏１を使用した場合であっても、突起１９，２０が両刃体１３，１４よりも先に指に接触するようにした。【選択図】        図１
2004313386.tif 000002
【特許請求の範囲】
【請求項１】
基端側に柄部を設け、先端側に刃部を設けた一対の鋏片を軸により互いに開閉可能に支持するとともに、前記両柄部の間に両鋏片を互いに開放する方向へ付勢する弾発部材を設けた鋏であって、前記弾発部材は前記両柄部の開閉面内を回動するように前記一方の柄部の内側に基端が回動自由に支持されている湾曲状の板ばね片であることを特徴とする鋏。
【請求項２】
前記弾発部材は前記一方の柄部の基端側へ回動させたとき、前記一方の柄部の内側縁に沿う形状である請求項１記載の鋏。
【請求項３】
前記弾発部材が回動支持部を前記一方の柄部に形成した挿入孔部に挿入するとともに前記挿入孔部の両面開口から嵌装する取付蓋体間に設けられる軸体により回動可能に取り付けられており、且つ前記取付蓋体が前記軸体とは異なる係止突起により前記一方の柄部に係止されている請求項１または２記載の鋏。
【請求項４】
前記各刃部に切断機能をもたない複数の突起が離間して並設されている請求項１，２または３記載の鋏。
【請求項５】
前記各鋏片を硬質合成樹脂により形成するとともに先端側の前記刃部に金属製の刃体を付設した請求項１，２，３または４記載の鋏。
【発明の詳細な説明】
【０００１】
【発明の属する技術分野】
本発明は、柄部及び刃部を有する一対の鋏片を軸により互いに開閉可能に支持するとともに、両柄部の間に弾発部材を設け、両鋏片の開閉操作を容易にし、且つ使用者の安全性に配慮した鋏、殊に幼児に適した鋏に関するものである。
【０００２】
【従来の技術】
一般に、鋏は両柄を閉じて先端側の両刃体で被切断物を切断した後に自力で再び両柄を開き、両刃体を開放して次の切断に備える必要がある。そこで、例えば、特開平８−１９１９６２号公報に記載されているように、板ばねからなる弾発部材を両柄部の間に介装して開閉動作を容易にした鋏が提案されている。しかしながら、本公報に記載されている弾発部材は、開閉補助作用を有する板ばねの形状およびその取付部の構造が複雑であり、生産性が劣るとともに経済的に不利であり、殊に幼児が用いるような安価な鋏には適さない。
【０００３】
これに対して、構造が単純な弾発部材を用いた鋏が特開２００２−６６１６６号公報に記載されている。この鋏は、図６に示すように、先端側の刃体６２及び基端側の柄部６３よりなる一対の鋏片６１を、長手方向の中間位置で軸心６４により互いに開閉可能に支持するとともに、一方の柄部６３の内側面に取付部６５を形成し、前記取付部６５には回転支持部６６と、前記回転支持部６６の外周面から延出形成された付勢舌片６７とから形成された弾発部材６８が支持されている。前記回転支持部６６は両鋏片６１が開閉する面と直交する面内で回転可能となっており、その回転により、前記付勢舌片６７はその先端が他方の柄部６３の内側面に接触しない解除位置と、その先端が他方の柄部６３の内側面に接触する付勢位置とで切り換え可能に構成されている。
【０００４】
【発明が解決しようとする課題】
ところが、前記特開２００２−６６１６６号公報に記載されている鋏は、弾発部材が両鋏片の開閉する面と直交する面内を回転するので、付勢舌片の先端が他方の柄部の内側面に接触しない解除位置において、弾発部材が両鋏片の開閉面から飛び出している状態が考えられ運搬や保管の邪魔になり、例えば、この状態において、鋏が卓上などに放置されている場合、弾発部材を袖口などで引っ掛けてしまい、鋏が卓上から落下して破損したり、机の引き出しなどに保管した場合、他の保管物と接触し弾発部材が破損するという問題がある。
【０００５】
一方、特開平６−１５４４３２号公報には、内側に連続的に形成された切断縁と、長手方向に離間して設けられた切断機能を持たない複数の突起と、握手手段とを有する第１及び第２の細長い鋏ブレードと、前記第１の鋏ブレードの内側と前記第２の鋏ブレードの内側を対向させて枢着する手段とを備え、切断時に指などが傷つくのを防止する合成繊維切断用の安全鋏が提案されている。
【０００６】
ところが、前記の特開平６−１５４４３２号公報に記載されている鋏は、指などの負傷は防止されるが、鋏の開閉操作を容易に行わせるための工夫はなされていない。また、鋏の全体が金属製なので重量があるとともに硬く、身体に当たった場合に負傷する可能性があり、幼児用には適さない。
【０００７】
【課題を解決するための手段】
本発明は上記課題を解決するためになされたものであり、基端側に柄部を設け、先端側に刃部を設けた一対の鋏片を軸により互いに開閉可能に支持するとともに、前記両柄部の間に両鋏片を互いに開放する方向へ付勢する弾発部材を設け、前記弾発部材を前記両鋏片の開閉面内を回動するように前記一方の柄部の内側に基端が回動自由に支持されている湾曲状の板ばね片とした。
【０００８】
また、前記弾発部材を前記一方の柄部の基端側へ回動させたとき、前記一方の柄部の基端側の内側縁に沿う形状とした。
【０００９】
さらに、前記弾発部材が回動支持部を前記一方の柄部に形成した挿入孔部に挿入するとともに前記挿入孔部の両面開口から嵌装する取付蓋体間に設けられた軸体により回動可能に取り付けられており、且つ前記取付蓋体が前記軸体とは異なる係止突起により前記一方の柄部に係止されるようにした。
【００１０】
並びに、前記各刃部に切断機能をもたない複数の突起を離間して並設した。
【００１１】
そして、前記各鋏片を硬質合成樹脂により形成するとともに先端側の前記刃部に金属製の刃体を付設した。
【００１２】
【発明の実施の形態】
次に、図面を参照して本発明の実施の形態を説明する。図１は本発明の好ましい実施の形態の一例を示すものであり、鋏１は一対の鋏片２，３が長手方向のほぼ中間位置で軸４により互いに開閉可能に支持されたものである。各鋏片２，３は基端側の柄部５，６と先端側の刃部７，８とから構成されており、各柄部５，６は硬質の合成樹脂製であり環状に形成され指を挿入するための指掛部９，１０が設けられている。
【００１３】
また、各刃部７，８は前記柄部５，６に連続して形成された刃体覆部１１，１２に金属製の刃体１３，１４が付設されており、前記各刃体覆部１１，１２には前記各刃体１３，１４の先端を覆う先端保護部１５，１６が形成されている。更に、図３に示すように、刃体覆部１１，１２には刃体１３，１４の切断縁１７，１８側に切断機能をもたない複数の突起１９，２０が互いに対向する位置関係で離間して設けられており、隣り合った突起１９，２０の間に両刃体１３，１４の切断縁１７，１８が露出している。また、両刃体覆部１１，１２の外周面１１ａ，１２ａは凹凸のない平面である。
【００１４】
弾発部材２１は柄部６に設けた円形に膨出した取付部２２に支持されている。更に詳しく説明すると、前記弾発部材２１は適宣な硬さを有する硬質合成樹脂より形成され、図４に示すように、円筒状の回動支持部２３と、回動支持部２３の外周面から延出形成された湾曲状の板ばね部２４と、円柱状の先端頭部２５とが基端から先端へと一体的に形成されている。板ばね部２４は湾曲状に形成されているので弾性作用を有し、先端頭部２５が対向する柄部５の内側面に当接することにより両鋏片２，３を互いに開放方向へ付勢することができる。
【００１５】
前記取付部２２は、柄部６の内側面２６に前記弾発部材２１の板ばね部２４を突出させる回動講２７を開口するとともに前記弾発部材２１の回動支持部２３を挿入する異形の挿入孔部２８及び、前記回動支持部２３を挿入孔部２８に回動可能に支持し前記挿入孔部２８の両開口部に嵌め込まれる一対の取付蓋体３０，３１とから構成される。
【００１６】
そして、一方の取付蓋体３０には、前記弾発部材２１の回動支持部２３に嵌入される円筒形の軸体３２と、前記柄部６の挿入孔部２８の外側位置において内方に向けて突出した三日月形の段部に形成した一部が欠けた円形を呈する嵌入部２９への係止突起３３が立設されており、もう一方の取付蓋体３１には前記一方の取付蓋体３０の裏面に突出された軸体３２の先端面に形成した係止孔３４に嵌入する係止突起３５と、前記係止突起３３と対向して前記嵌入部２９へ係止する係止突起３６が立設されている。
【００１７】
そして、本実施の形態における弾発部材２１を柄部６に取り付けるには、図５に示すように、両取付蓋体３０，３１を挿入孔部２８から取り外した状態で、弾発部材２１の回動支持部２３を回動溝２７から挿入孔部２８内に挿入し、次いで、一方の取付蓋体３０の裏面に立設した軸体３２を回動支持部２３に挿入するとともに、係止突起３３を嵌入部２９に嵌入させ、さらに、もう一方の取付蓋体３１の裏面に形成された係止突起３５を前記一方の取付蓋体３０の軸体３２の先端面に形成した係止孔３４に係止するようにして両取付蓋体３０，３１を挿入孔部２８に嵌装すればよい。
【００１８】
以上の取付構造を有することにより弾発部材２１は何らの工具を必要とすることなしにきわめて簡単に組み立てることが可能であり、弾発部材２１を取り付ける軸体３２を直接柄部６に固着しないので使用中に軸体３２が外れる等の心配がない。また、取付蓋体３０，３１を着脱することにより弾発部材２１をきわめて容易に交換することもできる。
【００１９】
上記のような鋏１を使用する際は、図１に示すように、両鋏片２，３を開き、弾発部材２１を先端頭部２５が柄部５の内側面に接触する位置まで回動させる。この状態において、両鋏片２，３を閉じると、突起１９，２０が接近して隙間３７が形成され、この隙間３７に位置する切断縁１７，１８が協働して切断機能を発揮する。
【００２０】
このとき、被切断物は隙間３７に挟まれて固定されるので、切断縁が直線状の従来の鋏では切断が困難であった毛糸や合成繊維などを容易に切断することができる。また、刃部７，８の間に誤って指を挟んだ状態で鋏１を使用した場合であっても、突起１９，２０が切断縁１７，１８よりも先に指に接触するので指が傷つくことはない。また、弾発部材２１は回動支持部２３を支点として撓曲し両鋏片２，３を拡開方向へ付勢するので開閉操作を容易に行なうことができる。
【００２１】
一方、鋏１を使用しない時は、図２に示すように、弾発部材２１を柄部６の基端側へ完全に回動させる。このとき、弾発部材２１は柄部６の基端側の形状に沿う状態で収納されるので弾発部材２１が運搬や保管の邪魔になることがない。
【００２２】
尚、本実施の形態は、両刃体１３，１４を除き硬質合成樹脂製であるので金属製の鋏よりも柔らかく、鋏が使用者の身体に接触しても負傷することはない。また、軽量であり操作が容易なので、鋏の使用者、特に幼児が使用した場合の安全性および操作性に配慮している。
【００２３】
【発明の効果】
本発明の鋏は、上述のとおり両柄部の間に両鋏片を互いに開放する方向へ付勢する弾発部材を設けた構成であるので両鋏片の開閉操作が容易になり、連続的に切断作業を行っても疲労が少ない。
また、弾発部材は両鋏片の開閉面内を回動するので、収納時に弾発部材を袖口などで引っ掛けてしまい鋏が卓上から落下して破損したり、保管などの際に邪魔になることがない。更に、弾発部材を一方の柄部の基端側へ完全に回動させたとき、弾発部材は一方の柄部の基端側の形状に沿う状態で収納されるので収まりが良く、鋏の保管状態において他の保管物と接触しても弾発部材が破損することはない。
更に、弾発部材は、取付蓋体に立設した軸体を介して回動自由に支持されるとともに、前記取付蓋体は係止突起を嵌入部に嵌入することにより確実に固定されるので、弾発部材を激しく回動させても取付部から外れる心配が少ない。
しかも、両刃体の間に誤って指を挟んだ状態で鋏を使用した場合であっても、刃部に切断機能をもたない複数の突起が離間して並設されているので、突起が刃体の切断縁よりも先に指に接触するので指が傷つくことがなく安全である。
【図面の簡単な説明】
【図１】本発明の好ましい実施の形態の一例を示すもので、両鋏片が開放した状態の平面図。
【図２】図１に示した実施の形態における両鋏片を閉じた状態の平面図。
【図３】図２のＡ−Ａ線に沿う拡大断面図。
【図４】図１示した実施の形態における取付部の拡大分解斜視図。
【図５】図１に示した実施の形態における挿入孔部に挿入された回動支持部に一方の取付蓋体を取り付けた状態を示す拡大斜視部分図。
【図６】両鋏片が開放した状態を表す従来例を示す平面図。
【符号の説明】
１  鋏、  ２，３  鋏片、  ５，６  柄部、  ７，８  刃部、  １１，１２  刃体覆部、  １３，１４  刃体、  １７，１８  切断縁、  １９，２０  突起、２１  弾発部材、  ２２  取付部、  ２３  回動支持部、  ２４  板ばね部、２５  先端頭部、  ２８  挿入孔部、  ２９  嵌入部、  ３０，３１  取付蓋体、  ３２  軸体、  ３３  係止突起、  ３４  係止孔、  ３７  隙間
【図１】
2004313386.tif 000003
【図２】
2004313386.tif 000004
【図３】
2004313386.tif 000005
【図４】
2004313386.tif 000006
【図５】
2004313386.tif 000007
【図６】
2004313386.tif 000008